(57)【要約】　　【課題】　比較的大きな領域を占有するコネクタジャックを有する複数のトランシーバモジュールを、より高い密度で装着可能とする。　　【解決手段】　トランシーバモジュール２０は、ホストシステム内のポート保持器に挿入する、断面積の比較的小さな構成要素２２と、ＲＪ４５プラグ等が装着可能な、断面積の比較的大きなジャック部分２１とを接続した構造を有する。構成要素２２の内部にはトランシーバ電子回路や、アイソレーション用の電磁回路が組み込まれる。構成要素２２、ジャック部分２１の内部はＥＭＩシールドが施されており、隣接して接続される複数のモジュール間の干渉やクロストークが抑制される。構成要素２２の部分のみがポート保持器（ポートケージ）に挿入されるので、ポート保持器の開口部（ジャック）の配設ピッチを小さくしてホストシステムのサイズが大きくなるのを抑制する。　　【選択図】　　図２
2004087486.tif 000002
【特許請求の範囲】
【請求項１】
　ホストシステム内のポート保持器に装着するトランシーバモジュールであって、
　前記ポート保持器内に収容可能なサイズのトランシーバ電子回路と、
　前記トランシーバ電子回路と接続されたコネクタであって、前記トランシーバ電子回路と共に前記ポート保持器内に収容可能なサイズの構成要素と、前記構成要素に接続され、前記ポート保持器内に収容可能な大きさを上回るサイズのコネクタジャックと、を有するコネクタと、を有し、
　前記トランシーバモジュールを前記ポート保持器内に配置した際に、前記コネクタジャックは、前記ポート保持器の外に位置し、前記ポート保持器の開口部よりも大きな領域を占有していることを特徴とするトランシーバモジュール。
【発明の詳細な説明】
【技術分野】
【０００１】
　本発明は、ネットワークシステムに関し、更に詳しくは、高密度フォームファクタを有する差込型電気トランシーバモジュールに関する。
【背景技術】
【０００２】
　スイッチやルーターなどのネットワーク装置では、追加デバイスを接続するために多数のポートを必要とすることが多い。そして、ポートを必要としているコネクタのサイズと数によってネットワーク装置のサイズと形状が影響を受けることになる。
【０００３】
　例えば、ギガビットイーサネット（「イーサネット」は登録商標、以下同様）プロトコルを利用するスイッチの場合、４８個又は６０個、或いはこれを上回る数のポートを備えることがある。それぞれのポート内には、コネクタ、プリント回路基板（ＰＣＢ）、及びハウジングを含むトランシーバモジュールを配置することができる。トランシーバモジュールは、ケーブルに適したフォーマットからホストシステムに適したフォーマット（及びその逆）にデータを変換する。光ファイバと共に使用するトランシーバモジュールは、光トランシーバモジュールとして知られている。光トランシーバモジュールは、光信号を電気信号（及びその逆）に変換する。電気ケーブルと共に使用するトランシーバモジュールは、電気トランシーバモジュール（メタリック線用トランシーバモジュール）として知られている。メタリック線用トランシーバモジュールは、電気ケーブル（メタリック線）に適した電気信号フォーマットからホストシステムに適した別の電気信号フォーマット（及びその逆）に電子信号を変換する。通常、ギガビットイーサネットプロトコルの場合には、適宜のコネクタを有する電気ケーブル又は光ケーブルを使用してスイッチ、ルーター、及びその他のネットワーク装置に接続する。
【発明の開示】
【発明が解決しようとする課題】
【０００４】
　ＭＴＲＪやＬＣ光コネクタなどの比較的断面積の小さな光コネクタの場合には、ネットワーク装置は、高密度に配列されたポートを有することができる。しかしながら、ＲＪ４５コネクタなどのサイズの大きな電気コネクタを使用するスイッチの場合には、大きく且つ配列密度の低いポートが必要とされており、この結果、ネットワーク装置には、この大きなポートサイズを収容するための追加スペースが必要になる。
【課題を解決するための手段】
【０００５】
　本発明の好適な実施例によれば、トランシーバモジュールが提供される。このトランシーバモジュールは、ホストシステム内のポート保持器に差し込むべく適合されている。トランシーバモジュールは、トランシーバ電子回路と、このトランシーバ電子回路に装着されたコネクタを含んでいる。トランシーバ電子回路は、ポート保持器内に収容可能なサイズになっている。コネクタは、構成要素であるモジュール部と、このモジュール部に接続されたコネクタジャックを含んでいる。モジュール部は、トランシーバ電子回路と共にポート保持器内に収容可能なサイズになっており、コネクタジャックのサイズは、ポート保持器内に収容可能な大きさを上回る寸法になっている。即ち、コネクタジャックは、トランシーバモジュールがポート保持器内に配置された際には、ポート保持器の外に残っており、ポート保持器の開口部よりも大きな領域を占有している。
【発明を実施するための最良の形態】
【０００６】
　図１は、ホストシステムを概略的に示す図面である。このホストシステムは、例えば、ネットワークスイッチやルーターなどのネットワーク装置である。ホストシステム１１は、複数のポート１２を有している。これらのポートは、ＭＴＲＪやＬＣなどの種類の光コネクタを保持するのに使用する光トランシーバモジュールやＲＪ４５などの種類の電気コネクタを保持するのに使用する電気トランシーバモジュールなどの小さなフォームファクタを有する電気光学トランシーバモジュールを収容するべく設計された保持器として実装されている。
【０００７】
　図２は、例えば、ホストシステム１１のポート１２の中の１つなどのホストシステムのポート内に配置可能な電気トランシーバモジュール２０を示している。電気トランシーバモジュール２０は、ケーブルから本モジュール２０が装着されたホストシステムに対してデータを伝送する。
【０００８】
　電気トランシーバモジュール２０は、ＲＪ４５ジャック２１内に、ケーブル（プラグ）を挿入する開口部２７を含んでいる。このケーブルは、例えば、カテゴリ（ＣＡＴ）５ケーブルである。或いは、この代わりに、ケーブルは、例えば、イーサネット、ファーストイーサネット、又はギガビットイーサネットアプリケーション用のカテゴリ３、５ｅ、又は６ケーブルであってもよい。
【０００９】
　電気トランシーバモジュール２０は、例えば、「小さなフォームファクタの差込型」トランシーバである。小さなフォームファクタによってトランシーバの高密度配列が可能になり、この結果、与えられたシステム内に最大数のモジュールを接続可能になる。
【００１０】
　電気トランシーバモジュール２０の一部分２２は、ホストシステムのポート保持器内に配置（挿入）される。ラッチメカニズム２３によって電気トランシーバモジュール２０はポート保持器内に固定される。ラッチメカニズム２３に挿入された状態のデラッチ（引き抜き具）２４が図示されており、ＲＪ−４５ジャック２１はホストシステムの保持器の外に突出する。
【００１１】
　図３は、電気トランシーバモジュール２０の展開図を示している。電気トランシーバモジュール２０は、コネクタ３１、プリント回路基板（ＰＣＢ）３３、及びハウジング３２を含んでいる。ハウジング３２は、電磁妨害（ＥＭＩ）シールドを含んでおり、コネクタ３１も同様にＲＪ４５ジャック２１の部分及びコネクタ３１の構成要素２５の部分にＥＭＩシールドを含んでいる。これらのシールドは、ＥＭＩを軽減することに加え、クロストークをも軽減する。このＥＭＩシールドは、シャーシの接地に接続されている。
【００１２】
　コネクタ３１の構成要素２５は、ＰＣＢ３３を接続するための１０ピンコネクタ２６を含んでいる。デラッチ２４は、ラッチメカニズム２３から取り外された状態で示されている。ＰＣＢ３３にはトランシーバが実装されている。
【００１３】
　図４は、コネクタ３１の別の図を示している。この別の図は、コネクタ３１の一部として組み込まれているラッチメカニズム２３が詳細に示されている。又、１０ピンコネクタ２６も詳細に示されている。
【００１４】
　図５は、コネクタ３１の断面図を示している。磁気回路５１がコネクタ３１の構成要素２５内に含まれている。コネクタ３１を介して通信されるすべての入力及び出力信号が、この磁気回路５１を通過する。磁気回路５１は、例えば、ＲＪ４５ジャック２１内のケーブルとＰＣＢ３３に実装されたトランシーバとの間を電気的にアイソレートするトランスから構成されている。磁気回路５１には、コモン（同相）モードチョーク及びコモン（同相）モード終端も含まれている。
【００１５】
　図６は、ホストシステム１１内に挿入された複数の電気トランシーバモジュール６１を概略的に示す図面である。電気トランシーバモジュール６１のジャック部がポート１２の外方向に向かって拡張する（はみ出す）ように位置しており、ポート１２の高密度の配列を可能にしている。小さなフォームファクタによってトランシーバの高密度配列が可能になっているため、与えられたシステム内に最大数のモジュールを装着可能である。この結果、ホストシステム１１の機能に与える影響を最小限にしつつ、電気トランシーバモジュールを高い密度で収容することが可能となる。
【００１６】
　以上の記述は、本発明の方法及び実施形態として一例を開示並びに説明したものに過ぎない。当業者であれば、本発明の精神と本質的な特徴から逸脱することなく、その他の形態で本発明を実施可能であることを理解しうる。従って、本発明のこの開示内容は、添付の特許請求の範囲に記述されている本発明の範囲を例証するためのものであり、それを限定するものではない。
【００１７】
　なお、本発明は、例として以下の実施態様を含む。
［１］　ホストシステム（１１）内のポート保持器（１２）に装着するトランシーバモジュール（２０）であって、
　前記ポート保持器（１２）内に収容可能なサイズのトランシーバ電子回路（３３）と、
　前記トランシーバ電子回路（３３）と接続されたコネクタであって、前記トランシーバ電子回路（３３）と共に前記ポート保持器（１２）内に収容可能なサイズの構成要素（２５）と、前記構成要素（２５）に接続され、前記ポート保持器（１２）内に収容可能な大きさを上回るサイズのコネクタジャック（２１）と、を有するコネクタ（３１）と、を有し、
　前記トランシーバモジュール（２０）を前記ポート保持器（１２）内に配置した際に、前記コネクタジャック（２１）は、前記ポート保持器（１２）の外に位置し、前記ポート保持器（１２）の開口部よりも大きな領域を占有していることを特徴とするトランシーバモジュール（２０）。
［２］　前記トランシーバ電子回路（３３）は、前記コネクタ（３１）に装着されたプリント回路基板（３３）に実装されていることを特徴とする［１］に記載のトランシーバモジュール（２０）。
［３］　前記トランシーバ電子回路（３３）を覆い、ＥＭＩシールド（３２）を含むハウジング（３２）を更に有することを特徴とする［１］に記載のトランシーバモジュール（２０）。
［４］　前記コネクタ（３１）は、
　前記構成要素（２５）及び前記コネクタジャック（２１）の両方にわたるＥＭＩシールド（３２）を更に有することを特徴とする［１］に記載のトランシーバモジュール（２０）。
［５］　前記構成要素（２５）は、
　磁気回路（５１）を含むことを特徴とする［１］に記載のトランシーバモジュール（２０）。
［６］　前記構成要素（２５）は、
　トランス、コモンモードチョーク、及びコモンモード終端を有する磁気回路（５１）を含むことを特徴とする［１］に記載のトランシーバモジュール（２０）。
［７］　前記コネクタ（３１）は、
　前記トランシーバユニット（２０）を前記ポート保持器（１２）に固定するラッチメカニズム（２３）を更に有することを特徴とする［１］に記載のトランシーバモジュール（２０）。
【図面の簡単な説明】
【００１８】
【図１】ネットワークスイッチなどのホストシステムを概略的に示す図面である。
【図２】本発明の好適な実施例による電気トランシーバモジュールを示している。
【図３】本発明の好適な実施例による図２に示す電気トランシーバモジュールの拡大図を示している。
【図４】本発明の好適な実施例による図２に示す電気トランシーバモジュールのコネクタ部の別の図を示している。
【図５】本発明の好適な実施例による図４に示すコネクタの断面図を示している。
【図６】ホストシステム内に挿入された本発明の好適な実施例による電気トランシーバモジュールを概略的に示す図面である。
【符号の説明】
【００１９】
１１　ホストシステム
１２　ポート保持器
２０　トランシーバモジュール
２１　コネクタジャック（ＲＪ４５ジャック）
２３　ラッチメカニズム
２４　デラッチ
２５　構成要素
３１　コネクタ
３２　ハウジング（電磁干渉シールド）
３３　トランシーバ電子回路（プリント回路基板）
５１　磁気回路
【図１】
2004087486.tif 000003
【図２】
2004087486.tif 000004
【図３】
2004087486.tif 000005
【図４】
2004087486.tif 000006
【図５】
2004087486.tif 000007
【図６】
2004087486.tif 000008